(57)【要約】【課題】各色のつなぎヘッドを搬送方向にずらすことなく配置しながらも、各色のつなぎ部が記録媒体で重複することなく画像が記録されるようなインクジェット記録装置およびインクジェット記録方法を提供する。【解決手段】オーバーラップ領域６４を設けながら配置された複数のチップ６１、６２のそれぞれに対し、オーバーラップ領域６４に含まれる複数のノズル６３の中から、連続して配列した複数のノズル６３を記録使用ノズルとして、記録ヘッドの走査の度に設定する。これにより、各色のつなぎ部を記録媒体で重複させることなく画像を記録することが出来るので、各色のつなぎ部が強調されることなく、また各色の記録タイミングの違いに起因する「つなぎすじ」が現れることがなくなる。さらに、オーバーラップ領域６４内のノズル６３の使用頻度を均等化して、記録ヘッド６０の寿命を延ばすことも期待できる。【選択図】図６
2010241015.tif 000002
【特許請求の範囲】
【請求項１】
画像データに基づいてインクを吐出するノズルを第１の方向に配列して形成される第１のチップと第２のチップを、前記第１の方向にオーバーラップ領域を設けた状態で配置して構成される記録ヘッドを用いて、記録媒体に記録を行うインクジェット記録装置であって、
前記画像データに従って前記ノズルからインクを吐出しながら前記記録ヘッドを前記第２の方向に走査する手段と、
１回の前記走査が終了するたびに前記記録媒体を前記第１の方向に搬送する手段と、
前記走査の度に、前記第１のチップの前記オーバーラップ領域に含まれる複数のノズルと前記第２のチップの前記オーバーラップ領域に含まれる複数のノズルとの中から、連続して配列した複数のノズルを記録使用ノズルとして設定する設定手段と
を備えることを特徴とするインクジェット記録装置。
【請求項２】
前記設定手段は、前記走査の回数をカウントする手段を有し、該カウント手段によってカウントされた回数に応じて前記第１のチップおよび前記第２のチップにおける前記記録使用ノズルをそれぞれ設定することを特徴とする請求項１に記載のインクジェット記録装置。
【請求項３】
前記記録ヘッドの複数を用い、前記設定手段は前記走査の度に前記記録使用ノズルを前記複数の記録ヘッドのそれぞれに対応して設定することを特徴とする請求項１または２に記載のインクジェット記録装置。
【請求項４】
前記複数の記録ヘッドは、互いに異なる色のインクを吐出することを特徴とする請求項３に記載のインクジェット記録装置。
【請求項５】
前記記録ヘッドは、前記第１のチップおよび前記第２のチップを含む複数のチップが、前記第２の方向に交互にずれながら前記第１の方向に前記オーバーラップ領域を設けた状態で配置して構成され、
前記設定手段は、前記走査の度に、前記記録使用ノズルを前記複数のチップのそれぞれに対応して設定することを特徴とする請求項１乃至４のいずれかに記載のインクジェット記録装置。
【請求項６】
画像データに基づいてインクを吐出するノズルを第１の方向に配列して形成される第１のチップと第２のチップを、前記第１の方向にオーバーラップ領域を設けた状態で配置して構成される記録ヘッドを用いて、記録媒体に記録を行うインクジェット記録方法であって、
前記画像データに従って前記ノズルからインクを吐出しながら前記記録ヘッドを前記第２の方向に走査する工程と、
１回の前記走査が終了するたびに前記記録媒体を前記第１の方向に搬送する工程と、
前記走査の度に、前記第１のチップの前記オーバーラップ領域に含まれる複数のノズルと前記第２のチップの前記オーバーラップ領域に含まれる複数のノズルとの中から、連続して配列した複数のノズルを記録使用ノズルとして設定する設定工程と
を有することを特徴とするインクジェット記録方法。
【発明の詳細な説明】
【技術分野】
【０００１】
本発明は、インクジェット記録ヘッドを用いたインクジェット記録装置およびインクジェット記録方法に関する。特に、複数のヘッドチップを配列して構成された長尺なインクジェット記録ヘッドを用いて、複数の記録走査を繰り返すことにより記録媒体に画像を形成するインクジェット記録装置およびインクジェット記録方法に関する。
【背景技術】
【０００２】
インクジェット記録装置は、高画質なカラー画像を多様な記録媒体に記録することが出来る。特に、シリアル型のインクジェット記録装置は、様々なサイズの記録媒体への記録が可能でありながら比較的安価に提供することが出来るので、パーソナルユースからビジネスユースまで、幅広いニーズに対応し普及している。
【０００３】
シリアル型のインクジェット記録装置では、記録媒体に向けてインクを吐出するノズルを所定のピッチで配列した記録ヘッドを用いている。そして、ノズルからインクを吐出しながらの主走査と、主走査とは交差する方向へ記録媒体を搬送する搬送動作とを交互に繰り返すことにより、段階的に画像を完成させていく。この場合、記録ヘッドに配列されたノズルの数が多いほど、１回の走査で記録媒体に記録する画像の幅も大きくなり、トータルの記録時間が短縮される。従って、大判のロール紙に記録を行うようなインクジェット記録装置においては、なるべく多数のノズルが配列された記録ヘッドを用いることが、スループットの点から望ましいこととなる。
【０００４】
しかしながら、多数のノズルを１つの記録ヘッドチップ（単にチップとも言う）に一括して構成することは、記録ヘッドの製造工程上、歩留まりを低下させる要因となる。なぜなら、吐出状態が不良なノズルが１つでも含まれていると、その記録ヘッドが欠陥品とみなされてしまう一方、吐出状態が不良なノズルが１つも含まれていない状態を実現することは、記録ヘッドに配列するノズル数が多くなるほど困難になるからである。このような問題に対応するため、近年では、然程多くない数のノズルが配列した短尺なチップを複数用意し、これらをつなぎ合わせて長尺な記録ヘッドを製造する方法が活用されている。以下、このようにして製造された記録ヘッドをつなぎヘッドと称す。
【０００５】
図１（ａ）および（ｂ）は、２つのチップで構成されたつなぎヘッドの例を示す図である。図１（ａ）は同じインク（例えばシアン）を吐出するための１列のつなぎヘッドの例、同図（ｂ）は２種類の異なるインク（例えばシアンとマゼンタ）を吐出するための２列のつなぎヘッドの例である。図１（ａ）を参照するに、同じインクを吐出する複数のノズルがＸ方向に配列されたチップ１およびチップ２は、互いにＹ方向（主走査方向）にずれながら、幾つかのノズルが含まれるオーバーラップ領域３を設けた状態で、搬送方向（Ｘ方向）に配置されている。このような配置により、比較的短尺なチップ１および２から長尺の記録ヘッド４を実現することが出来る。より一層長尺な記録ヘッドにする場合には、さらに多くのチップを用意して、各チップを図のようにＹ方向に交互にずらしながらＸ方向に配列させればよい。
【０００６】
このとき、オーバーラップ領域３の記録は、オーバーラップ領域３に含まれる２つのチップ上の複数のノズルによって分担して行うことが出来る。これにより、個々のチップの配置に多少のずれが含まれたとしても、また特許文献１に開示されているような端部よれが発生したとしても、これらによる画像弊害を緩和しながら記録を行うことが可能となる。
【０００７】
但し、図１（ａ）および（ｂ）のようなつなぎヘッドであっても、多数のインク色のために多数のつなぎヘッドを用いる場合には、新たな画像弊害が懸念される場合がある。
【０００８】
図２（ａ）および（ｂ）は、図１（ａ）および（ｂ）で示した記録ヘッドを１２色分主走査方向（Ｙ方向）に配列させた状態を示す図である。このような配列構成の場合、全１２色のオーバーラップ領域は搬送方向に完全に重複するので、２つのチップ間の記録に使用するノズルの切り替え位置（つなぎ部）が各色で等しいと、各インク色のつなぎ部が互いに強調し合い画像の一様性を損なわせることになる。また、この場合、つなぎ部においては、複数色のインクを記録媒体に記録するタイミングが、つなぎ部以外の領域とは局所的に異なる状態となる。よって、この記録タイミングの違いに起因する色相の違いが、つなぎ部における「つなぎすじ」となって現れる場合がある。
【０００９】
特許文献１では、このような問題に対応するため、図３に示すように、オーバーラップ領域がインク色ごとに搬送方向（Ｘ方向）に異なる箇所に設定された記録ヘッドが開示されている。特許文献１の構成であれば、各インク色のつなぎ部が記録媒体の同位置に重複されることが無いので、各色のつなぎ部が互いに強調し合うこともなく、インク色の記録タイミングの違いによる「つなぎすじ」も発生しない。
【先行技術文献】
【特許文献】
【００１０】
【特許文献１】特開２００５−１９９６９２号公報
【発明の概要】
【発明が解決しようとする課題】
【００１１】
しかしながら、特許文献１に開示されている記録ヘッドは、図３に見るように、各色の記録ヘッドがＸ方向にずれて配置されているので、記録ヘッドの全長が各色の記録幅以上に長尺になってしまう。また、各色で記録媒体のＸ方向における同じ幅位置を記録することが出来ないので、記録媒体に対する記録走査数も図２の構成に比べて増加し、スループットにも影響が出る。このような弊害は、例えば、シアン、マゼンタ、イエローおよびブラックのような基本の４色のみを用いるような場合には大きな問題にはならない。しかし、図２（ａ）および（ｂ）で用意したように１２色ものインクを用いる場合には、記録ヘッド全長の拡大がキャリッジや記録装置そのものの大型化を招き、スループットにも大きく影響を与える結果となる。
【００１２】
本発明は上記問題点を解決するためになされたものである。よって、その目的とするところは、各色のつなぎヘッドを搬送方向にずらすことなく配置しながらも、各色のつなぎ部が記録媒体で重複することなく画像が記録されるようなインクジェット記録装置およびインクジェット記録方法を提供することである。
【課題を解決するための手段】
【００１３】
そのために本発明においては、画像データに基づいてインクを吐出するノズルを第１の方向に配列して形成される第１のチップと第２のチップを、前記第１の方向にオーバーラップ領域を設けた状態で配置して構成される記録ヘッドを用いて、記録媒体に記録を行うインクジェット記録装置であって、前記画像データに従って前記ノズルからインクを吐出しながら前記記録ヘッドを前記第２の方向に走査する手段と、１回の前記走査が終了するたびに前記記録媒体を前記第１の方向に搬送する手段と、前記走査の度に、前記第１のチップの前記オーバーラップ領域に含まれる複数のノズルと前記第２のチップの前記オーバーラップ領域に含まれる複数のノズルとの中から、連続して配列した複数のノズルを記録使用ノズルとして設定する設定手段とを備えることを特徴とする。
【００１４】
また、画像データに基づいてインクを吐出するノズルを第１の方向に配列して形成される第１のチップと第２のチップを、前記第１の方向にオーバーラップ領域を設けた状態で配置して構成される記録ヘッドを用いて、記録媒体に記録を行うインクジェット記録方法であって、前記画像データに従って前記ノズルからインクを吐出しながら前記記録ヘッドを前記第２の方向に走査する工程と、１回の前記走査が終了するたびに前記記録媒体を前記第１の方向に搬送する工程と、前記走査の度に、前記第１のチップの前記オーバーラップ領域に含まれる複数のノズルと前記第２のチップの前記オーバーラップ領域に含まれる複数のノズルとの中から、連続して配列した複数のノズルを記録使用ノズルとして設定する設定工程とを有することを特徴とする。
【発明の効果】
【００１５】
本発明によれば、各色のつなぎ部を記録媒体で重複させることなく画像を記録することが出来るので、各色のつなぎ部が強調されることなく、また各色の記録タイミングの違いに起因する「つなぎすじ」が現れることがなくなる。さらに、オーバーラップ領域内のノズルの使用頻度を均等化して、記録ヘッドの寿命を延ばすことも期待できる。
【図面の簡単な説明】
【００１６】
【図１】（ａ）および（ｂ）は、２つのチップで構成されたつなぎヘッドの例を示す図である。
【図２】（ａ）および（ｂ）は、図１（ａ）および（ｂ）で示した記録ヘッドを１２色分主走査方向（Ｙ方向）に配列させた状態を示す図である。
【図３】オーバーラップ領域がインク色ごとに搬送方向に異なる箇所に設定された記録ヘッドを示す図である。
【図４】本発明の実施形態に係るインクジェット記録装置を示す平面図である。
【図５】インクジェット記録装置の制御系の概略構成を説明するためのブロック図である。
【図６】実施形態で使用する２色分のつなぎヘッドの構成を説明するための図である。
【図７】ＣＰＵが実行する記録制御の各工程を説明するためのフローチャートである。
【図８】（ａ）および（ｂ）は、つなぎヘッドのオーバーラップ領域と、記録に使用するノズルの位置を走査ごとに示した図である。
【図９】走査回数ｎと基本の４色（ＣＭＹＫ）の使用ノズルの関係を示した図である。
【発明を実施するための形態】
【００１７】
以下、図面を参照して本発明の一実施形態を詳細に説明する。  
図４は、本発明の実施形態に係るインクジェット記録装置（以下、単に記録装置ともいう）を示す平面図である。本実施形態のインクジェット記録装置は、比較的大判の記録媒体に記録を行うものであり、記録媒体をＸ方向（第１の方向）へと搬送する不図示の搬送ユニットを含む記録装置の本体２０を備える。本体２０には、ガイド軸３３に沿って矢印Ｙに示す主走査方向（第２の方向）に移動可能に取り付けられたキャリッジ１０が設けられている。キャリッジ１０はベルト３４を介して不図示のキャリッジモータから伝達される駆動力によって往復移動が可能になっている。キャリッジ１０にはインク滴を吐出する記録ヘッド５が搭載されており、記録ヘッド５はキャリッジ１０と共にＹ方向へと往復移動する。記録ヘッド５の構成については、後に詳しく説明する。
【００１８】
キャリッジ１０には、キャリッジ１０と共に主走査方向へ移動しつつ、プラテン４における記録媒体の存否を検出する学式センサ３２が設けられている。光学センサ３２からの出力信号に基づいて、記録媒体の両側端部の位置を検出することができ、さらに両側端部の位置から記録媒体のＹ方向における寸法（幅寸法）を求めることができる。
【００１９】
また、キャリッジ１０には、プラテン４上に支持された記録媒体をＹ方向に沿って切断する切断ユニット３５が設けられている。切断ユニット３５には、キャリッジ１０の側方に設けられたメスと、このメスを出没させるアクチュエータとが備えられている。アクチュエータによって突出したメスは、プラテン４に形成されたＹ方向に延出する溝に挿入可能となっており、キャリッジ１と共にＹ方向へと溝に挿入された状態で移動する。このような移動によって、プラテン４上に支持された記録媒体は主走査方向に沿って切断される。
【００２０】
キャリッジ１０が走査する領域の端部（ホームポジション）には、記録ヘッド５の吐出性能を適正に保つための吸引回復機構３０が設けられている。吸引回復機構３０には、ホームポジションに戻った記録ヘッド５の吐出口を覆うキャップや、ノズル内の増粘インク等を除去するためにキャップ内に負圧を発生させるポンプなどが備えられている。
【００２１】
記録装置が画像の記録コマンドを受信すると、記録媒体は不図示の搬送ユニットからＸ方向に給送され、記録ヘッド５による記録が可能な位置まで搬送される。光学センサ３２の出力値に応じて記録媒体の位置合わせおよび幅検出が完了すると、記録ヘッド５は不図示の主制御部から受信した記録信号に従って、キャリッジ１０と共にＹ方向に移動しながら記録媒体に向かってインクを吐出する。このような１回分の記録走査が終了すると、記録媒体は記録ヘッド５の記録幅に応じた分だけＸ方向に搬送される。以上のようなＹ方向の記録走査とＸ方向への搬送動作とを交互に繰り返すことにより、記録信号に従った画像が記録媒体に段階的に形成されていく。全ての記録信号に従った記録が終了すると、切断ユニット３５によって記録媒体が切断され、ジョブが終了する。
【００２２】
図５は、インクジェット記録装置２の制御系の概略構成を説明するためのブロック図である。主制御部３００には、演算や装置全体の制御を司るＣＰＵ３０１、ＣＰＵ３０１が実行すべき制御プログラム等を格納するＲＯＭ３０２、記録データのバッファ等として用いられるＲＡＭ３０３、および入出力ポート３０４等が備えられている。ＣＰＵ３０１は、記録媒体を搬送するためのＬＦモータ３１２、キャリッジを走査させるためのＣＲモータ３１３、記録ヘッド５および切断ユニット３５などを、入出力ポート３０４を介して３０５〜３０８に示す各駆動回路を駆動することによって制御する。また、ＣＰＵ３０１は、入出力ポート３０４を介して、光学センサ３２、記録ヘッドの温度を検出するためのヘッド温度センサ３１４、キャリッジ１０がホームポジションに有ることを検出するためのホームポジションセンサ３１０などの出力信号を検出する。さらに主制御部３００は、インターフェース回路３１１を介することにより、ホストコンピュータ３１５から送信される画像データなどを受信している。
【００２３】
図６は、本実施形態で使用する記録ヘッド５の２色分のつなぎヘッドの構成を説明するための図である。つなぎヘッド６０は、第１のチップ６１および第２のチップ６２の２つのチップによって構成されている。そして、個々のチップにはインク滴を吐出するノズル６３が、Ｘ方向（第１の方向）に沿って１２００ｄｐｉ（ドット／インチ；参考値）の密度で１２８０個ずつ配列されている。また、第１のチップ６１および第２のチップ６２は、４０個のノズルを含むオーバーラップ領域６４を設けるようにして、Ｘ方向に繋ぐように配列されている。具体的には、第１のチップ６１の１２３９〜１２７９番目のノズルと、第２のチップ６２の０〜３９番目のノズルとが、オーバーラップ領域６４を形成している。従って、２つのチップ６１および６２によって構成されるつなぎヘッド６０のＸ方向における記録幅は、２×１２８０−４０＝２５２０ドット分となる。
【００２４】
本実施形態において、このように構成されたつなぎヘッドは１２色分用意され、これらは図２（ｂ）に示したようにＸ方向（第１の方向）にずれることなくＹ方向（第２の方向）に並列配置した構成となっている。すなわち、記録ヘッドの全長やオーバーラップ領域の大きさや位置は、全色で共通である。１２色のインクを具体的に説明すると、まず、無彩色については、光沢用紙に適したフォトブラック（Ｐｂｋ）とマット紙に適したマットブラック（Ｍｂｋ）、またグレーラインの階調性の向上を目的としたグレー（Ｇｙ）と淡グレー（Ｐｇｙ）が用意されている。一方、有彩色については、減法混色における３原色であるシアン（Ｃ）、マゼンタ（Ｍ）およびイエロー（Ｙ）の他に、記録画像の粒状感の低減を目的とした淡シアン（Ｐｃ）および淡マゼンタ（Ｐｍ）が用意されている。さらに、最大出力色域の拡大を目的として、３原色の２次色であるＲ（レッド）、Ｇ（グリーン）、Ｂ（ブルー）が用意されている。
【００２５】
なお、本実施形態において、個々のノズル６３には、インク滴の出口となる吐出口、これに連通するインク流路、および各インク流路内に配備されインクを加熱して膜沸騰を起こし、その発泡エネルギでインクを吐出させる電気熱変換体、が設けられている。但し、このような構成は本発明を限定するものではない。個々のノズルからインクを滴として吐出することが可能であれば、どのような方法を用いてインクを吐出する構成であっても構わない。
【００２６】
図７は、本発明の特徴的な記録方法を説明するために、ＣＰＵ３０１が実行する記録制御の各工程を説明するためのフローチャートである。
【００２７】
ホストコンピュータ３１５から記録開始コマンドを受信すると、ＣＰＵ３０１は、まずステップＳ１にてＬＦモータ３１２等を駆動させ、記録媒体を記録ヘッド５によって記録可能なプラテン４の位置まで給紙する。そして、キャリッジ１０を一往復させながら光学センサ３２の出力信号を読み取ることにより、記録媒体のＹ方向の幅を検出する。その後、記録ヘッドの走査回数をカウントするための変数ｎを、１に初期化する（ステップＳ２）。
【００２８】
続くステップＳ３では、次の走査で使用する記録使用ノズルを、個々の記録ヘッドについて独立に設定する。
【００２９】
図８（ａ）および（ｂ）は、シアンとマゼンタのノズル列を配列したチップによって構成されるつなぎヘッドのオーバーラップ領域６４と、記録に使用するノズルの位置を走査ごとに示した図である。図において、その記録走査で記録に使用する記録使用ノズルは黒丸、使用しないノズルは白丸で示している。図８（ａ）は１走査目の記録使用ノズル、同図（ｂ）は２走査目の記録使用ノズルをそれぞれ示している。
【００３０】
具体的に説明すると、１走査目においては、第１のチップ６１において０〜１２７９までのノズルのうち、シアンは０〜１２４９までの連続するノズルを記録使用ノズルとし、マゼンタは０〜１２６９までの連続するノズルを記録使用ノズルとする。また、第２のチップ６２においては、シアンは１０〜１２７９までの連続するノズルを記録使用ノズルとし、マゼンタは３０〜１２７９までの連続するノズルを記録使用ノズルとする。一方、２走査目においては、第１のチップ６１において０〜１２７９までのノズルのうち、シアンは０〜１２５９までの連続するノズルを記録使用ノズルとし、マゼンタは０〜１２７９までの連続するノズルを記録使用ノズルとする。また、第２のチップ６２においては、シアンは２０〜１２７９までの連続するノズルを記録使用ノズルとし、マゼンタは４０〜１２７９までの連続するノズルを記録使用ノズルとする。
【００３１】
これにより、１走査目においては、第１のチップ６１の１２４９のノズルと第２のチップ６２の１０のノズルの間がシアンのつなぎ部となり、第１のチップ６１の１２６９のノズルと第２のチップ６２の３０のノズルの間がマゼンタのつなぎ部となる。また、２走査目においては、第１のチップ６１の１２５９のノズルと第２のチップ６２の２０のノズルの間がシアンのつなぎ部となり、第１のチップ６１の１２７９のノズルと第２のチップ６２の４０のノズルの間がマゼンタのつなぎ部となる。
【００３２】
図９は、走査回数ｎと基本の４色（ＣＭＹＫ）の使用ノズルの関係を示した図である。図から判るように、本実施形態においては、どの走査においても基本の４色のそれぞれで記録使用ノズルの領域が異なっており、さらにどの１色においても走査ごとに記録使用ノズルの領域が異なっている。本発明ではこのように、走査及びインク色に対応して、各チップで実際に記録に使用する記録使用ノズルを独立に設定することにより、オーバーラップ領域６４内でのチップ間のつなぎ位置を、走査ごと及び記録ヘッドごとに異ならせることに特徴がある。図９に示したような各色についての走査回数と使用ノズルの関係は、記録装置のＲＯＭ３０２に予め記録しておくことが出来る。
【００３３】
図７のステップ３では、図９に示したような走査回数と使用ノズルの関係が予め定められているテーブルなどを参照することにより、ｎ走査目の使用ノズルが設定される。ステップＳ３によって、記録に使用するノズルが設定されると、ＣＰＵ３０１は、ステップＳ４において設定されたノズルを使用してｎ回目の記録走査を実行する。
【００３４】
続くステップＳ５において、ＣＰＵ３０１は画像データの記録が完了したか否かを判断する。まだ、記録するべき画像が残っていると判断した場合は、ステップＳ６にて変数ｎをインクリメントした後、次の走査のためにステップＳ３に戻る。
【００３５】
一方、ステップＳ５において記録が完了したと判断した場合は、ステップＳ７へ進み、切断ユニット３５によって記録媒体をカットした後これを排出する。以上で本処理が終了する。
【００３６】
なお、図９では、簡単のため、基本の４色のみにおける使用ノズルの例を示したが、実際には１２色全てが互いに異なるつなぎ位置を有する様に、それぞれの使用ノズルが設定されることが好ましい。また、走査のたびに使用ノズルを切り替える構成であれば、同じ使用ノズルの組み合わせが周期的に繰り返されてもかまわない。例えば図９の場合であれば、走査回数ｎが定数ｋに達した次の走査から、再度１走査目と等しいノズルを使用するようにしてもよい。
【００３７】
以上説明したように本実施形態によれば、全１２色のつなぎヘッドを搬送方向にずらすことなく配置しながらも、各色のつなぎ部を記録媒体で重複させることなく画像を記録することができる。よって、各色のつなぎ部が強調されることなく、また各色の記録タイミングの違いに起因する「つなぎすじ」が現れることもなく、一様な画像を出力することが可能となる。さらに、本実施形態によれば、記録走査の度に使用ノズルを切り替えているので、オーバーラップ領域内のノズルの使用頻度が均等化され、記録ヘッド自体の寿命を延ばすことが期待できる。
【００３８】
（その他の実施形態）
上記実施形態では、図６に示したように、２つのチップをつなげて構成される記録ヘッドを例に説明したが、本発明はこのような構成に限定されるものではない。１つのインク色に対しさらに多くのチップを用意し、主走査方向（Ｙ方向）に交互にずらしながら副走査方向（Ｘ方向）にこれらチップをつなげるように配置させる構成であってもよい。この場合、１つの記録ヘッドの中に複数のオーバーラップ領域が存在することになるが、使用ノズルの設定は、全てのオーバーラップ領域で統一しても良いし異ならせるようにしても良い。
【００３９】
また、本実施形態では、互いに異なる１２色のインクを吐出するための記録ヘッドを例に説明したが、異なる記録ヘッドが必ずしも異なるインクを吐出しなくても良い。例えば、基本の４色について各色２つずつの記録ヘッド（ノズル列）を用意し、往路走査と復路走査のいずれにおいても記録媒体に対するインクの付与順序が等しくなるように、これら記録ヘッドを対照的に配列させた構成であっても本発明は有効に機能する。
【００４０】
また、上記実施形態では、光学センサ３２の出力信号に基づいて記録媒体の幅を検出する内容で説明したが、記録媒体の幅についてはユーザがホストコンピュータ３１５から入力指定する形態であっても良い。
【００４１】
加えて、本発明に係るインクジェット記録装置は、上記実施形態のように、ホストコンピュータ３１５等の画像出力端末として設けられるものの他、リーダ等と組み合わせた複写装置、更には送受信機能を有するファクシミリ装置の形態を採るものであっても良い。
【００４２】
なお、本発明は、前述した実施形態の機能処理を実現するソフトウェアのプログラムを、システムあるいは装置に対して直接または遠隔から供給し、そのシステムあるいは装置のコンピュータが該供給されたプログラムコードを読み出して実行する場合を含む。この場合、本発明の機能処理をコンピュータで実現するために、該コンピュータにインストールされるプログラムコード自体も本発明を実現するものである。また、コンピュータにインストールされるプラグラムは、本発明の機能処理を実現するものであればよく、オブジェクトコード、インタプリタにより実行されるプログラム、ＯＳに供給するスクリプトデータ等、プログラムの形態は問わない。
【００４３】
プログラムを供給するための記録媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープなどがある。その他にもプログラムを供給するための記録媒体は、不揮発性のメモリカード、ＲＯＭ、ＤＶＤ（ＤＶＤ−ＲＯＭ，ＤＶＤ−Ｒ）などがある。
【００４４】
その他、プログラムの供給方法としては、クライアントコンピュータのブラウザを用いてインターネットに接続しホームページから本発明のプログラムそのもの、もしくは圧縮され自動インストール機能を含むファイルをダウンロードすることでも供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の範囲に含まれるものである。
【００４５】
また、本発明のプログラムを暗号化して記憶媒体に格納してユーザに配布し、所定の条件をクリアしたユーザに、ホームページから暗号化を解く鍵情報をダウンロードさせ、その鍵情報で暗号化されたプログラムを実行してインストールさせることも可能である。
【００４６】
またコンピュータが読み出したプログラムを実行して、前述した実施形態の機能が実現される他、そのプログラムによってコンピュータ上で稼動しているＯＳ等が実際の処理の一部または全部を行ない、その処理によっても前述した実施形態の機能が実現され得る。
【００４７】
さらに記録媒体から読み出されたプログラムが、コンピュータに挿入された機能拡張ボードや接続された機能拡張ユニットのメモリに書き込まれた後、そのプログラムによって、ＣＰＵ等が処理の一部または全部を行なうことでも、実施形態の機能が実現され得る。
【符号の説明】
【００４８】
５  記録ヘッド
２０  インクジェット記録装置
３２  光学センサ
３５  切断ユニット
６０  記録ヘッド
６１  第１のチップ
６２  第２のチップ
６３  ノズル
６４  オーバーラップ領域
３００  主制御部
３０１  ＣＰＵ
３０２  ＲＯＭ
３０３  ＲＡＭ
３０４  入出力ポート
３０５〜３０８  駆動回路
３１０  ホームポジションセンサ
３１１  インターフェース回路
３１２  ＬＦモータ
３１３  ＣＲモータ
３１４  ヘッド温度センサ
３１５  ホストコンピュータ
【図１】
2010241015.tif 000003
【図２】
2010241015.tif 000004
【図３】
2010241015.tif 000005
【図４】
2010241015.tif 000006
【図５】
2010241015.tif 000007
【図６】
2010241015.tif 000008
【図７】
2010241015.tif 000009
【図８】
2010241015.tif 000010
【図９】
2010241015.tif 000011